(57)【要約】【課題】音声情報を高品質に記録することができるカメラ本体を提供すること。【解決手段】レンズ鏡筒１００が着脱可能に取り付けられるカメラ本体２００であって、前記レンズ鏡筒１００に音声を集音するレンズ側集音センサ１０１が存在するか否かを検出する検出手段３、Ｓ２、Ｓ１２、Ｓ２２と、前記検出手段３、Ｓ２、Ｓ１２、Ｓ２２により、前記レンズ側集音センサ１０１が存在することが検出された場合に、前記レンズ鏡筒１００に対して、前記レンズ側集音センサ１０１を有効にするための信号を出力する制御手段３とを有する。【選択図】図３
2010147793.tif 000002
【特許請求の範囲】
【請求項１】
レンズ鏡筒が着脱可能に取り付けられるカメラ本体であって、
前記レンズ鏡筒に音声を集音するレンズ側集音センサが存在するか否かを検出する検出手段と、
前記検出手段により、前記レンズ側集音センサが存在することが検出された場合に、前記レンズ鏡筒に対して、前記レンズ側集音センサを有効にするための信号を出力する制御手段とを有するカメラ本体。
【請求項２】
音声を集音する本体側集音センサを有し、前記検出手段が前記レンズ鏡筒の前記レンズ側集音センサが存在することを検出した場合に、前記本体側集音センサの集音性能を低下させることを特徴とする請求項１に記載のカメラ本体。
【請求項３】
音声を集音する本体側集音センサを有し、前記制御手段は、前記検出手段が前記レンズ鏡筒の前記レンズ側集音センサが存在することを検出した場合に、前記本体側集音センサと前記レンズ側集音センサとの双方が有効に機能するように前記制御信号を出力することを特徴とする請求項１に記載のカメラ本体。
【請求項４】
前記制御手段は、前記検出手段により前記レンズ側集音センサが存在することが検出されなかった場合に、前記本体側集音センサを有効にするように制御することを特徴とする請求項２または３に記載のカメラ本体。
【請求項５】
前記制御手段は、前記本体側集音センサで集音して得られた本体側音声情報と、前記レンズ側集音センサで集音して得られたレンズ側音声情報との差分に基づいて、前記レンズ側音声情報に対してノイズを低減する処理を行うことを特徴とする請求項３に記載のカメラ本体。
【請求項６】
前記制御手段は、前記本体側集音センサで集音して得られた本体側音声情報と、前記レンズ側集音センサで集音して得られたレンズ側音声情報とを差分処理して得られた音声情報を逆位相に変換して前記レンズ側音声情報に加算することを特徴とする請求項３に記載のカメラ本体。
【請求項７】
音声を集音する本体側集音センサと、
レンズ鏡筒と通信を行うための通信手段と、
前記通信により、前記レンズ鏡筒にレンズ側集音センサが存在するか否かを検出する検出手段と、
前記レンズ鏡筒に前記レンズ側集音センサが存在することが検出されなかった場合に、前記本体側集音センサを有効にするように制御信号を出力し、前記レンズ鏡筒に前記レンズ側集音センサが存在することが検出された場合に、前記レンズ側集音センサを有効にするように制御信号を出力するとともに、所定の入力信号が入力されることで、強制的に前記ボディ側集音センサを有効にさせる制御手段と、を有するカメラ本体。
【発明の詳細な説明】
【技術分野】
【０００１】
本発明は、音声処理が可能なカメラ本体に関する。
【背景技術】
【０００２】
従来、カメラボディ内にマイクを設け、たとえば動画撮影において、被写体の音声情報を集音する技術が提案されている（特許文献１参照）。
【０００３】
しかしカメラボディにおいて発生した部品の駆動音等を、カメラボディ内のマイクが集音してしまい、ノイズとなって音声情報が記録されてしまう場合がある。ノイズとなる駆動音源としては、たとえばシャッタ音、ミラーアップ音、ミラーダウン音、そしてそれらを駆動させるモータ音等がある。従来の技術では、こうしたノイズを低減させて音声情報を記録することが困難であった。
【特許文献１】特開平６−２２２６２号公報
【発明の開示】
【発明が解決しようとする課題】
【０００４】
本発明の目的は、必要となる音声情報を高品質で記録することができるカメラ本体を提供することである。
【課題を解決するための手段】
【０００５】
上記目的を達成するために、本発明に係るカメラ本体は、
レンズ鏡筒（１００）が着脱可能に取り付けられるカメラ本体（２００）であって、
前記レンズ鏡筒（１００）に音声を集音するレンズ側集音センサ（１０１）が存在するか否かを検出する検出手段（３、Ｓ２、Ｓ１２、Ｓ２２）と、
前記検出手段（３、Ｓ２、Ｓ１２、Ｓ２２）により、前記レンズ側集音センサ（１０１）が存在することが検出された場合に、前記レンズ鏡筒（１００）に対して、前記レンズ側集音センサ（１０１）を有効にするための信号を出力する制御手段（３）とを有する。
【０００６】
本発明のカメラ本体では、レンズ鏡筒（１００）内にレンズ側集音センサ（１０１）が存在することが検出された場合に、制御手段（３）がレンズ側集音センサ（１０１）を有効にして作動させる。レンズ側集音センサ（１０１）が有効になることで、カメラ本体（２００）から発生する部品の駆動音源と、レンズ側集音センサ（１０１）との距離が離れるので、駆動音源に基づくノイズを低減させて高品質な音声情報を記録することができる。
【０００７】
カメラ本体は、音声を集音する本体側集音センサ（２０１）を有し、前記検出手段（３、Ｓ２、Ｓ１２、Ｓ２２）が前記レンズ鏡筒（１００）の前記レンズ側集音センサ（１０１）が存在することを検出した場合に、前記本体側集音センサ（２０１）の集音性能を低下させてもよい。この場合には、被写体から発せられる音源により近いレンズ側集音センサ（１０１）を優先的に使用することになるので、高品質な音声情報を記録することができる。
【０００８】
カメラ本体は、音声を集音する本体側集音センサ（２０１）を有し、前記制御手段（３）は、前記検出手段（３、Ｓ２、Ｓ１２、Ｓ２２）が前記レンズ鏡筒（１００）の前記レンズ側集音センサ（１０１）が存在することを検出した場合に、前記本体側集音センサ（２０１）と前記レンズ側集音センサ（１０１）との双方が有効に機能するように前記制御信号を出力してもよい。これにより、後に述べるような演算をすることで、効果的にノイズを低減させて高品質な音声情報を記録することができる。
【０００９】
前記制御手段（３）は、前記検出手段（３、Ｓ２、Ｓ１２、Ｓ２２）により前記レンズ側集音センサ（１０１）が存在することが検出されなかった場合に、前記本体側集音センサ（２０１）を有効にするように制御してもよい。カメラ本体（２００）に、レンズ側集音センサ（１０１）を搭載しないタイプのレンズ鏡筒（１００）を装着した場合には、本体側集音センサ（２０１）を使用することができる。
【００１０】
前記制御手段（３）は、前記本体側集音センサ（２０１）で集音して得られた本体側音声情報（３０１）と、前記レンズ側集音センサ（１０１）で集音して得られたレンズ側音声情報（３０２）との差分に基づいて、前記レンズ側音声情報（３０２）に対してノイズを低減する処理をしてもよい。
【００１１】
前記制御手段（３）は、前記本体側集音センサ（２０１）で集音して得られた本体側音声情報（３０１）と、前記レンズ側集音センサ（１０１）で集音して得られたレンズ側音声情報（３０２）とを差分処理して得られた音声情報（３０４）を逆位相に変換して前記レンズ側音声情報（３０２）に加算してもよい。
【００１２】
本体側音声情報（３０１）と、レンズ側音声情報（３０２）との双方の音声情報を利用し、このような演算を行うことにより、より効果的にノイズが低減された高品質な音声情報（３０３）を記録することができる。
【００１３】
カメラ本体は、音声を集音する本体側集音センサ（２０１）と、
レンズ鏡筒（１００）と通信を行うための通信手段（６３、６４、６５）と、
前記通信により、前記レンズ鏡筒（１００）にレンズ側集音センサ（１０１）が存在するか否かを検出する検出手段（３、Ｓ２、Ｓ１２、Ｓ２２）と、
前記レンズ鏡筒（１００）に前記レンズ側集音センサ（１０１）が存在することが検出されなかった場合に、前記本体側集音センサ（２０１）を有効にするように制御信号を出力し、前記レンズ鏡筒（１００）に前記レンズ側集音センサ（１０１）が存在することが検出された場合に、前記レンズ側集音センサ（１０１）を有効にするように制御信号を出力するとともに、所定の入力信号（Ｓ２４）が入力されることで、強制的に前記ボディ側集音センサ（２０１）を有効にさせる制御手段（３）と、を有してもよい。
【００１４】
たとえば、動画撮影中の音声に、撮影者が発する音声を反映させたい場合などがある。このような場合に、撮影者がボディ側集音センサ（２０１）を有効にする入力信号（Ｓ２４）を入力することにより、強制的にボディ側集音センサ（２０１）が有効になる。こうすることで、撮影者が発する音源により近い方のボディ側集音センサ（２０１）で集音することができ、撮影者が発する音声を高品質で記録することができる。
【００１５】
なお、上述の説明では、本発明をわかりやすく説明するために、実施形態を示す図面の符号に対応つけて説明したが、本発明は、これに限定されるものでない。後述の実施形態の構成を適宜改良してもよく、また、少なくとも一部を他の構成物に代替させてもよい。更に、その配置について特に限定のない構成要件は、実施形態で開示した配置に限らず、その機能を達成できる位置に配置することができる。
【発明を実施するための最良の形態】
【００１６】
以下、本発明を、図面に示す実施形態に基づき説明する。
図１は本発明の一実施形態に係るカメラボディにレンズ鏡筒を取付けた概略構成図、
図２は図１に示すカメラボディに他のレンズ鏡筒を取付けた概略構成図、
図３は図１または図２に示すカメラの制御の一例を示すフローチャート図、
図４は図１または図２に示すカメラの制御の他の一例を示すフローチャート図、
図５（Ａ）〜図５（Ｃ）は図４に示す制御における各マイクの音声成分の一例を示す波形図、
図６（Ａ）および図６（Ｂ）は図５に示す音声成分を処理する様子を示す波形図、
図７は図１または図２に示すカメラの制御の他の一例を示すフローチャート図である。
第１実施形態
【００１７】
まず、図１に基づき、本発明の一実施形態のカメラの全体構成について説明する。以下の説明では、レンズ鏡筒１００とカメラボディ２００とが着脱自在となる一眼レフデジタルカメラについて説明する。図１に示すように、カメラボディ２００には、レンズ鏡筒１００が着脱自在に装着される。
【００１８】
図１に示すように、カメラボディ２００は、その内部に着脱自在に内蔵される電池１を有する。この電池１の負極端子は、カメラボディ２００の共通接地線７に接続されると共に、電気接点６６に接続される。また、この電池１の負極端子は、電源回路２にも接続される。
【００１９】
カメラボディ２００とレンズ鏡筒１００とが連結された状態で、カメラボディ２００の共通接地線７は、レンズ鏡筒１００の共通接地線８に接続され、導通が確保される。また、カメラボディ２００とレンズ鏡筒１００とが連結された状態では、電気接点６１〜６６を介して、レンズ鏡筒１００内の電気回路と、カメラボディ２００内の電気回路とが電気的に接続される。
【００２０】
電池１の正極端子は、ボディＣＰＵ３にて制御される給電スイッチ５に接続され、この給電スイッチ５がオンされると、電気接点６１を介してレンズ鏡筒１００の電源回路１１に電圧を供給可能になっている。電池１の正極端子は、さらにカメラボディ２００内の電源回路２に接続される。電源回路２はボディＣＰＵ３により制御される。
【００２１】
ボディＣＰＵ３のＧＮＤ端子は、共通接地線７に接続してあり、ボディＣＰＵ３のＶＤＤ端子は、それぞれのダイオードを介して、電池１の正極端子および電源回路２の出力端子に接続してある。このため、ボディＣＰＵ３は、電源投入時より起動することが可能になっている。カメラボディ２００の外部スイッチ群４の操作は、ボディＣＰＵ３に入力され、所定のスイッチ入力を検出した場合、ボディＣＰＵ３は、電源回路２をｏｎ／ｏｆｆ制御する。
【００２２】
たとえばカメラの動作として、不図示の動画撮影開始ボタンを押下した場合には、ボディＣＰＵ３は、電源回路２をｏｎ制御する。これにより電源回路２は電圧を出力し、電気接点６２を介してレンズＣＰＵ９に対して給電し、レンズＣＰＵ９が動作可能となる。また、電源回路２をｏｎ制御すると、電源回路２は電圧を出力し、給電スイッチ２０３がｏｎ制御されることで、音声処理回路２０２に対して給電可能となる。マイク２０１は音声処理回路２０２に接続してある。マイク２０１は音声情報を集音し、電気信号に変換し、その出力信号を音声処理回路２０２へ出力する。
【００２３】
レンズＣＰＵ９には、共通接地線８との間で、各種スイッチ１０が接続してあり、各種スイッチ１０が操作されることにより、レンズＣＰＵ９の各種設定や制御を変更可能になっている。レンズＣＰＵ９が動作可能となると、電気接点６３〜６５を介して、レンズＣＰＵ９はボディＣＰＵ３と通信を行う。その結果、ボディＣＰＵ３はレンズ鏡筒の装着の検出を行う。
【００２４】
たとえば、ボディ２００に装着されるレンズ鏡筒の種類としては、図１に示すように、マイク１０１を有するタイプのレンズ鏡筒１００と、それを有しないタイプのレンズ鏡筒１００ａ（図２）とがある。ボディＣＰＵ３は、レンズＣＰＵ９と通信を行うことによって、ボディ２００に装着されたレンズ鏡筒がマイク１０１を有しているか否かを検出する。
【００２５】
図１において、ボディ２００に装着されるレンズ鏡筒１００は、マイク１０１を有するタイプのレンズ鏡筒である。マイク１０１は音声処理回路１０２に接続してある。音声処理回路１０２は、マイク１０１で集音し電気信号に変換した音声信号を、レンズＣＰＵ９へ出力する。音声処理回路１０２は、給電スイッチ１０３を介して電源回路１１から給電されている。レンズＣＰＵ３は、電源回路１１をｏｎ制御する。また、給電スイッチ１０３がｏｎ制御されることで、不図示のその他の回路（ＡＦ駆動回路等）にも給電される。
【００２６】
図２において、ボディ２００に装着されるレンズ鏡筒１００ａは、マイクを有しないタイプのレンズ鏡筒である。その他の回路１０４は、ＡＦ駆動回路、絞り駆動回路、ブレ補正駆動回路等を含み、それらは、レンズＣＰＵ９により制御される。その他の回路１０４は、電源回路１１から給電されている。レンズＣＰＵ３は、電源回路１１をｏｎ制御する。
【００２７】
次に、主として図３に示すフローチャートに基づいて、図１および図２に示すカメラの制御の一例について説明する。
【００２８】
図３に示すステップＳ１にて、図１または図２に示すカメラボディ２００の電源がＯＮされ、ボディＣＰＵ３が動作可能となると、電気接点６３〜６５を介して、ボディＣＰＵ３はレンズＣＰＵ９と通信を行う。そして、ステップＳ２にて、ボディＣＰＵ３はレンズ鏡筒１００または１００ａにマイク１０１が存在するか否かを判定する。
【００２９】
ステップＳ２にて、ボディＣＰＵ３が、図１のようにレンズ鏡筒１００にマイク１０１が存在していることを検出すると、ステップＳ３に進み、ボディＣＰＵ３はボディ側マイク２０１の集音性能を低減させる。ボディ側マイク２０１の集音性能を低減させる手段の一例として、電源回路２から音声処理回路２０２に給電する電圧を低減させることが考えられる。この場合には、省電力で動画撮影を行うことができる。
【００３０】
ステップＳ３の次にステップＳ４に進み、レンズ側マイク１０１を有効にする。この場合には、図１または図２に示すレンズ側マイク１０１の集音性能が、ボディ側マイク２０１の集音性能に比べて相対的に高まる。レンズ側マイク１０１の性能を優先させて集音することにより、カメラボディ２００の動作音源から離れた位置で、ノイズが低減した高品質な音声情報を記録することができる。また、レンズ側マイク１０１を有効にすることで、被写体から発せられる音源により近い位置で集音することができ、高品質な音声情報を記録することができる。なお、ステップＳ３とステップＳ４の順序は、逆または同時であってもよい。
【００３１】
ステップＳ２にて、ボディＣＰＵ３が、図２のようにレンズ鏡筒１００ａにマイクが存在していないことを検出すると、ステップＳ５に進み、ボディ側マイク２０１を有効にする。このように、レンズ鏡筒がマイクを有しないタイプであった場合には、ボディ側マイク２０１のみでも集音することができる。
【００３２】
なお、ステップＳ３において、図１に示すボディＣＰＵ３は給電スイッチ２０３をｏｆｆ制御し、ボディ側の音声処理回路２０２に対して非給電状態とすることにより、ボディ側マイク２０１の動作をＯＦＦにするようにしてもよい。こうすることにより、より省電力で動画撮影をすることができる。
第２実施形態
【００３３】
第２実施形態のカメラは、図１または図２に示すボディＣＰＵ３の動作の一部が、第１実施形態でのボディＣＰＵ３の動作と異なる。具体的には、第２実施形態では、図１に示すようにレンズ鏡筒１００内にマイク１０１が存在することが検出された場合に、ボディＣＰＵ３は図４に示すステップＳ１３〜Ｓ１７の制御を行う。図４に示すフローチャートのうち、Ｓ１１〜Ｓ１２およびＳ１８は、図３におけるＳ１〜Ｓ２およびＳ５と同様であり、重複する説明は省略する。
【００３４】
本実施形態では、図４に示すステップＳ１２にて、第１実施形態と同様に、図１または図２に示すボディＣＰＵ３は、レンズ鏡筒１００または１００ａにマイク１０１が存在するか否かを判定する。ステップＳ１２にて、レンズ鏡筒側にマイク１０１が存在することが判明すると、ステップＳ１３に進む。そしてボディ側マイク２０１を有効にし、次にステップＳ１４に進み、レンズ側マイク１０１を有効にする。ステップＳ１３とＳ１４の順序は逆でもよいし、同時でもよい。双方のマイクを有効にすることにより、次に述べるような演算を行うことができる。
【００３５】
次に、図４に示すステップＳ１５にて、図１または図２に示すボディＣＰＵ３は、ボディ側マイク２０１で集音した音声情報から、レンズ側マイク１０１で集音した音声情報を引算する。すなわち、図５（Ａ）に示すボディ側音声情報の波形３０１から、図５（Ｂ）に示すレンズ側音声情報の波形３０２を引算する。図５（Ａ）の３０１ａは、ボディ側マイクにて、ボディ側から発生する作動音を特徴的に捉えたノイズ波形である。図５（Ｂ）の３０２ａの部分は、レンズ側マイクにて、ボディ側から発生する作動音を特徴的に捉えたノイズ波形である。このようにして引算した結果としての波形は、図６（Ａ）に示す波形３０４のようになる。
【００３６】
図４に示すステップＳ１６にて、図１または図２に示すボディＣＰＵ３は、図６（Ａ）の波形３０４を、逆位相に変換処理する。逆位相に変換処理した結果、図６（Ｂ）のような波形３０５になる（逆位相差分情報）。ここで、図６（Ｂ）に示す波形３０５の振幅Ｗ１と図５（Ｂ）に示す波形３０２の振幅Ｗ２とから、ゲイン値（Ｗ２／Ｗ１）を求める。そして、図１に示すＣＰＵ３は、図６（Ｂ）の波形３０５に対して、そのゲイン値（Ｗ２／Ｗ１）を乗算する。
【００３７】
図４に示すステップＳ１７にて、レンズ側マイク情報に逆位相差分情報を加算する。すなわち、図５（Ｂ）に示すレンズ側マイク情報の波形３０２に対し、上述した逆位相差分情報にゲイン値（Ｗ２／Ｗ１）を乗算した情報を加算する。すると、図５（Ｃ）に示すように、カメラ側で発生した動作音によるノイズがキャンセルされた波形３０３が得られ、高品質な音声情報を記録することができる。
【００３８】
ステップＳ１２にて、レンズ鏡筒側にマイクが存在しないことが判明すると、ステップＳ１８へ進み、ボディ側マイクを有効にする。
【００３９】
ステップＳ１５〜Ｓ１７において、ノイズをキャンセルできるのは、以下の理由が考えられる。ボディ側マイク２０１は、被写体からの通常の音声成分に加え、マイク２０１がカメラボディ２００内での部品の駆動音を拾ってしまう。その駆動音が通常の音声成分に乗っている状態が、ノイズ波形３０１ａとなって検出される。また、レンズ側マイク１０１は、被写体からの通常の音声成分に加え、マイク１０１がカメラボディ２００内で発生した部品の駆動音をも拾ってしまう。その駆動音が通常の音声成分に乗っている状態が、ノイズ波形３０２ａとなって検出される。しかし音源からの距離がある分だけ、ノイズ波形３０２ａのノイズレベルは、ノイズ波形３０１ａに比べて小さい。
【００４０】
音声情報３０１から音声情報３０２を差分処理した波形が、図６（Ａ）に示す音声情報の波形３０４である。音源となる被写体からマイク１０１、２０１までの距離は十分に離れており、近似的にほぼ同一とみなすことができる。したがって、音差分処理をすると、通常は図６（Ａ）に示すノイズ波形３０４ａ以外の波形３０４で示すようにゼロに近い波形となる。それに対し、カメラボディ２００内での部品等の駆動音源から、それぞれのマイク１０１、２０１までの距離は無視できないので、ノイズを拾った部分は、ノイズ波形３０４ａとなり残る。ノイズ成分どうしを引算したので、ノイズの差分レベルは小さな値となってしまう。そこで、上述した逆位相差分情報３０５に対し、ゲイン値（Ｗ２／Ｗ１）を乗算するのである。これを音声情報３０２に対し、加算することで、ノイズをキャンセルすることができる。
第３実施形態
【００４１】
第３実施形態のカメラは、図１または図２に示すボディＣＰＵ３の動作の一部が、第１実施形態でのボディＣＰＵ３の動作と異なる。具体的には、第３実施形態では、ボディＣＰＵ３がレンズ鏡筒にマイク１０１が存在することを検出した場合、または検出しなかった場合に、ボディＣＰＵ３は図７のステップＳ２２〜Ｓ２５の制御をする。図７に示すフローチャートのうち、Ｓ２１〜Ｓ２２までは、図３におけるＳ１〜Ｓ２と同様であり、重複する説明は省略する。
【００４２】
図７に示すように、ステップＳ２２にて、図１または図２に示すボディＣＰＵ３が、レンズ側マイク１０１が存在することを検出した場合には、ステップＳ２３に進み、レンズ側マイク１０１を有効にする。次にステップＳ２４に進み、不図示のボディ側マイク優先スイッチがＯＮされるか否かを、ボディＣＰＵ３が検出する。ボディＣＰＵ３がＯＮ信号を検出しない場合にはステップＳ２３へ戻り、ステップＳ２３〜Ｓ２４を繰り返す。
【００４３】
ステップＳ２４にて、ボディ側マイク優先スイッチがＯＮされ、ボディＣＰＵ３がＯＮ信号を検出した場合には、ステップＳ２５に進み、ボディ側マイクを強制的に有効にさせる。すなわち、ボディＣＰＵ３は、給電スイッチ２０３をｏｎ制御し、音声処理回路２０２を有効に動作させる。これにより、撮影者の意図したタイミングで、一時的にボディ側マイクを有効にさせることで、撮影者が発する音声を、より発声源に近いほうのマイクで集音することができる。
【００４４】
この場合に、図１に示すレンズ側マイク１０１の集音性能を一時的に低下させてもよいし、図１に示すレンズＣＰＵ９が給電スイッチ１０３をｏｆｆ制御することにより、音声処理回路１０２の動作をｏｆｆにしてもよい。
【００４５】
図７のステップＳ２２にて、図２のようにレンズ側マイクが存在しないことが判明した場合には、ステップＳ２５に進み、ボディ側マイク２０１を有効にすることで、ボディ側マイクのみで集音することができる。
【００４６】
なお、本発明は、上述した実施形態に限定されるものではなく、本発明の範囲内で種々に改変することができる。
【００４７】
たとえば、動作音の発生源がレンズ側にある場合も考えられる。ＡＦ駆動音や絞り羽根の駆動音、それらを動作させるモータの駆動音等である。このような場合には、図４〜図６に示したノイズ低減処理において、レンズ側マイク情報とボディ側マイク情報とを置き換えることにより、ノイズをキャンセルすることができる。ノイズレベルが大きいほうの音声情報から、ノイズレベルが小さいほうの音声情報を差分処理するのである。そして上述したものと同様の処理をすることによって、レンズ側で発生した動作音によるノイズをもキャンセルすることができる。
【００４８】
またたとえば、図７に示すフローチャートでは、不図示のボディ側マイク優先スイッチがＯＮされた場合について説明したが、スイッチに限定するものではない。たとえば液晶モニタのメニュー画面等から、ボディ側マイク優先モードを選択するようにしてもよい。このように、図１または図２に示すボディＣＰＵ３が何らかの制御信号を受信していれば、ボディ側マイク優先モードを選択するようにしてもよい。さらに、ボディＣＰＵ３が何らかの制御信号を受信することにより、図１に示すレンズ側マイク１０１が優先的に動作するようにしてもよい。
【図面の簡単な説明】
【００４９】
【図１】図１は本発明の一実施形態に係るカメラボディにレンズ鏡筒を取付けた概略構成図である。
【図２】図２は図１に示すカメラボディに他のレンズ鏡筒を取付けた概略構成図である。
【図３】図３は図１または図２に示すカメラの制御の一例を示すフローチャート図である。
【図４】図４は図１または図２に示すカメラの制御の他の一例を示すフローチャート図である。
【図５】図５（Ａ）〜図５（Ｃ）は図４に示す制御における各マイクの音声成分の一例を示す波形図である。
【図６】図６（Ａ）および図６（Ｂ）は図５に示す音声成分を処理する様子を示す波形図である。
【図７】図７は図１または図２に示すカメラの制御の他の一例を示すフローチャート図である。
【符号の説明】
【００５０】
３…ボディＣＰＵ
９…レンズＣＰＵ
１００…レンズ鏡筒
１０１…レンズ側マイク
１０２…レンズ側音声処理回路
２００…カメラボディ
２０１…ボディ側マイク
２０２…ボディ側音声処理回路
３０１…本体側音声情報
３０２…レンズ側音声情報
３０３…ノイズ低減処理された音声情報
３０４…差分処理をした音声情報
３０５…逆位相差分情報
【図１】
2010147793.tif 000003
【図２】
2010147793.tif 000004
【図３】
2010147793.tif 000005
【図４】
2010147793.tif 000006
【図５】
2010147793.tif 000007
【図６】
2010147793.tif 000008
【図７】
2010147793.tif 000009